(57)【特許請求の範囲】
【請求項１】
一端が家具側係止部であり他端が柱や梁などの建物構造部に係止するための建物側係止部である転倒防止ロープと、一端が巻き芯に固定され他端が上記転倒防止ロープ又は建物構造部に保持されると共に巻き芯に巻き取ったロール状態で家具の天板上又はこれに載せたスクリーン載置座の上に這わせた前記転倒防止ロープの上に載置されるスクリーンとを備えたことを特徴とする地震対策用スクリーン装置。
【請求項２】
請求項１に記載した地震対策用スクリーン装置において、転倒防止ロープが多少の伸縮性を有することを特徴とする地震対策用スクリーン装置。
【請求項３】
請求項１又は２に記載した地震対策用スクリーン装置において、転倒防止用ロープの長さを調節するためのアジャスターを設けたことを特徴とする地震対策用スクリーン装置。
【請求項４】
ほぼ水平なスクリーン載置部を有し天井や壁等の建物構造部に支持されることで家具の上方に配置されるスクリーン載置座と、一端が巻き芯に固定され他端が上記スクリーン載置座又は建物構造部に保持され上記巻き芯に巻き取ったロール状態で上記スクリーン載置部に載置されるスクリーンとを備えたことを特徴とする地震対策用スクリーン装置。
【請求項５】
請求項１から４のいずれかに記載した地震対策用スクリーン装置において、スクリーンが、紙もしくは布にネットを張り合わせたものと紙と布とネットのいずれかであることを特徴とする地震対策用スクリーン装置。
【発明の詳細な説明】
【０００１】
【発明の属する技術分野】
本発明は、地震対策用スクリーン装置に係り、詳しくは、家具の揺れや傾きに伴って当該家具から飛び出した収納物が辺りに散乱するのを防止したり、合わせて家具の転倒も防止する地震対策用スクリーン装置に関するものである。
【０００２】
【従来の技術】
今日、地震に伴う災害を予防したり、あるいは、その災害を最小限に抑えるための防災手段には様々なものがあるが、家具や陳列棚などの転倒を防止するためのものとしては、Ｌ字形をした金具や鎖等で家具等を柱や梁に固定したり、或いは天井との間に突っ張り棒を設けるといったものが多い。
【０００３】
【発明が解決しようとする課題】
地震において、家具等が原因する災害としては、それ自体の転倒だけで無く、実は、収納物の飛び出しと散乱による災害も案外多い。この飛び出しや散乱は、前面に戸を有しない開放型の陳列棚は勿論、戸を有する家具にあっても、その戸を閉め忘れていた場合や、家具の揺れや傾きに伴って戸が開いたり外れたり、引出しが突き出すことでも発生する。しかも、飛び出した収納物は、その勢いで辺り一面に散乱して、出口へ通じる通路を邪魔したり、割れたガラスや陶器で大怪我をすることが多い。
従って、家具等を建物側にしっかり固定するだけでは、収納物の飛び出しや散乱による災害を確実に防ぐことはできない。
【０００４】
家具等からの収納物の飛び出しそのものを防止するためには、開き戸を引き戸に替えたり、ガラス戸に飛散防止のためのテープやフィルムを貼ることが行われている。しかしながら、既存の開き戸扉を引き戸に替えることは現実的にはかなり困難であり、引き戸自体が外れてしまった場合は飛び出しを防止できないし、ガラス戸にテープやフィルムを貼っておいても、その戸が落ちて通路を邪魔しないという保証は無い。
【０００５】
このような問題には、戸や引出しを家具のボディに固定する何らかのロック手段を取り付け、使用時はそのロックを解除するといった対策も考えられないことは無いが、そのようにすると、日常の使用が非常に面倒になるし、そのロックを掛け忘れてしまった場合は、何の効果もない。
まして、店舗での開放型陳列棚では、前面に戸を設けることは、営業上、非現実的である。
【０００６】
本発明は上記した問題点に鑑みて為されたものであり、家具や陳列棚の振動や傾きによって収納物が飛び出しても、それが広く散乱するのを確実に防止することができ、しかも、常に作動する状態にしておいても日常の使用には何ら支障が無く、また、家具等の転倒防止にも役立つ画期的な地震対策用スクリーン装置を提供することを目的とする。
【０００７】
【課題を解決するための手段】
この目的を達成するために、請求項１に記載した地震対策用スクリーン装置は、一端が家具側係止部であり他端が柱や梁などの建物構造部に係止するための建物側係止部である転倒防止ロープと、一端が巻き芯に固定され他端が上記転倒防止ロープ又は建物構造部に保持されると共に巻き芯に巻き取ったロール状態で家具の天板上又はこれに載せたスクリーン載置座の上に這わせた前記転倒防止ロープの上に載置されるスクリーンとを備えたことを特徴とするものである。
【０００８】
本発明で言う「家具」には、陳列棚なども含む。
従って、この地震対策用スクリーン装置によれば、地震により当該家具が振動し又は傾くことによって、スクリーンが開きながら落下して当該家具の前面を覆うので、その家具から収納物が飛び出しても、多くの場合、その散乱はスクリーンの内側だけで収まる。
【０００９】
ロール状態で置かれたスクリーンの落下は、家具の振動だけでも起こり得るが、少なくとも収納物が飛び出す程度かそれに近い大きさで揺れた場合は、家具がある程度は前倒れに傾くので、その傾きに伴って転倒防止ロープが多少とも張ってスクリーンを前方へ押し出し、それにより、スクリーンが確実に落下することになる。
従って、本発明にあっては、収納物が飛び出す程度の大きさで家具が揺れた場合は、確実にスクリーンが開いて収納物の散乱を防止し、且つ、その家具の転倒は転倒防止ロープが防止する。
【００１０】
本発明を実施する場合、転倒防止ロープは目的の家具の天板上に直に這わせても良いが、スクリーンの落下方向を前側（家具の前面側）へ案内するためのスクリーン載置座を家具の天板上に載せ、このスクリーン載置座の上に転倒防止用ロープを這わせても良い。
【００１１】
このスクリーン載置座の形態としては色々考えられるが、少なくとも、巻き芯に巻き取ったロール状態のスクリーンが載置されるスクリーン載置部とこのスクリーン載置部から立ち上がった背面壁とを有する形態が望ましい。このようにすれば、スクリーン載置座をその背面壁が壁側に来る向きで家具の天板上に載置し、そのスクリーン載置座の上に転倒防止ロープを這わせ、このロープの上にロール状態のスクリーンを載置すると、当該スクリーンは、振動による転がり方向が前方のみに案内されるため、家具の振動や傾きによって、より確実に家具の前側へ落下することになる。
スクリーン載置部の前後幅はロール状態のスクリーンの直径とほぼ同じ程度にすれば良い。また、スクリーン載置座は単一である必要は無く、例えば２つ用意して、それにロール状態のスクリーンの左右両端部を各別に載せるようにしても良い。
【００１２】
スクリーンの他端の保持構造としては、転倒防止ロープで行う構造と、柱や梁あるいは壁などの建物構造部で行う構造とがある。前者の構造としては、スクリーンの他端部を転倒防止ロープに直接固定したり、適宜な紐で転倒防止ロープに吊るといった構造が考えられ、後者の構造としてはスクリーンの他端部を梁や壁などに直接固定したり、適宜な紐で壁に吊るといった構造が考えられる。前者の保持構造にした場合はこのスクリーン装置のセッティング作業が簡単で済み、後者の保持構造にした場合は、転倒防止ロープとスクリーンとの位置関係を自由に設定できるという利点がある。
【００１３】
尚、転倒防止ロープは１本でも良いが、スクリーンを落下させる動作を安定に行わせるためには、少なくともスクリーンの両端寄り位置に各別に対応して２本設けるのが望ましい。
【００１４】
請求項２に記載した地震対策用スクリーン装置は、請求項１に記載した地震対策用スクリーン装置において、転倒防止ロープが多少の伸縮性を有することを特徴とするものである。
転倒防止ロープに伸縮性を持たせておくと、家具の傾きを積極的に許容することにはなるが、家具が傾くことで転倒防止ロープの張りが大きくなってスクリーンをより確実に前方へ押し出すことになるので、スクリーンが作動する確実性は高まる。従って、この伸縮性すなわち伸度を、転倒防止ロープが弛み無く張るのに必要最小限の値に設定すれば、家具の転倒を防止しながら、スクリーンの落下を確実に実行させることができる。
【００１５】
転倒防止ロープに伸縮性を持たせる場合、そのロープの全体が伸縮性を持つようにしても良いが、転倒防止機能が低下しないようにするために、非伸縮性のロープに短い伸縮性ロープを連結する構造にするのが望ましい。
【００１６】
請求項３に記載した地震対策用スクリーン装置は、請求項１又は２に記載した地震対策用スクリーン装置において、転倒防止用ロープの長さを調節するためのアジャスターを設けたことを特徴とするものである。
このようにすれば、目的の家具のサイズや、転倒防止ロープの各係止部を係止すべき位置をある程度の範囲で自由に選ぶことができる。
【００１７】
請求項４に記載した地震対策用スクリーン装置は、ほぼ水平なスクリーン載置部を有し天井や壁等の建物構造部に支持されることで家具の上方に配置されるスクリーン載置座と、一端が巻き芯に固定され他端が上記スクリーン載置座又は建物構造部に保持され上記巻き芯に巻き取ったロール状態で上記スクリーン載置部に載置されるスクリーンとを備えたことを特徴とするものである。
【００１８】
この地震対策用スクリーン装置は、例えば店舗の中央に設置される陳列棚などに適する。すなわち、このような位置に設置される陳列棚は壁から離れていて、転倒防止用ロープで支えることが難しい場合が多いので、少なくとも、当該陳列棚などの上にスクリーン載置座を配置してこれにロール状態のスクリーンを載せておけば、商品などの落下散乱だけは防止できる。
スクリーン載置座は、基本的には天井や壁等の建物構造部に取り付けるが、それが難しいときは陳列棚などの天板上に載せても良い。
【００１９】
本発明を実施するに当たって、スクリーンは、請求項５に記載したように、紙や布にネットを張り合わせたものと、紙だけのものと、布だけのものと、ネットだけのものの中のいずれかを用いると良い。
このようにすれば、スクリーンを軽量に形成できるので、地震発生時又は日常において、落下したスクリーンで怪我をする虞れは無いし、万一、スクリーン落下直後に火災が発生してスクリーンが炎上するようなことになっても、スクリーンは瞬く間に燃え尽きてしまうため、燃えるスクリーンで避難が妨げられるのを最小限に抑えることができる。また、これらの素材から成るスクリーンは、放水等によって簡単に破れてその放水を邪魔しないので、仮に火災が発生した場合でもスクリーンが消火を妨げる虞れは無い。
スクリーンの素材は、有毒ガスを発生しない種類が望ましい。
【００２０】
【発明の実施の形態】
以下に、本発明に係る地震対策用スクリーン装置を、図面に示した各実施の形態に従って説明する。
〔１．第一の実施の形態〕
〔Ａ．構造〕（図１、図２）
この地震対策用スクリーン装置１は、１枚のスクリーン３と、２本の転倒防止ロープ１１と、スクリーン載置座３１等から構成される。スクリーン３等のサイズは、目的の家具や陳列棚のサイズに合わせて設定される。図面に示すスクリーン３は、横幅３尺で高さ６尺程度の標準的大きさの家具に対応したサイズのものである。
【００２１】
スクリーン３は、横幅９０ｃｍ、縦２２０ｃｍ程度の大きさのクラフト紙製のもので、その全面に木綿などの天然繊維を編んだ図示しないネットを貼り付けて耐破断強度を高くしてある。スクリーン３の縦方向における一端部はダンボール原紙などで形成した巻き芯５に固定され、他端部７はその左右両端部をほぼ非等脚台形状を為す被保持部７ａとして加工されると共にその端縁を二重乃至三重程度に折り畳んで接着することで強度を高めてある。
【００２２】
転倒防止ロープ１１は、メインロープ１３と伸縮ロープ１５とを連結して構成されている。
メインロープ１３には伸縮性が無くて強靭なもの、例えばクレモナ（商品名）ロープを用いており、そのほぼ中間部がアジャスター１７を通され、一端部はループを為す家具側係止部１３ａとして加工され、他端部１３ｂは連結リング１９を通して折り返すと共にアジャスター１７に固定されている。
【００２３】
アジャスター１７は、円筒形のボディ１７ａと、これに内蔵された図示しないテーパー形の締め付けリングと、その締め付けリングを縮径するように締め付けるためのネジキャップ１７ｂなどを備えると共に、ボディ１７ａから突出したロープ継ぎ１７ｃが設けられている。メインロープ１３は、その中間部が締め付けリングを通され、他端部１３ｂがロープ継ぎ１７ｃに固定される。従って、アジャスター１７をメインロープ１３に対して滑らせて位置を変えることで、アジャスター１７と家具側係止部１３ａとの距離が変更される。この変更を行うときはネジキャップ１７ｂを緩め、変更終了後はネジキャップ１７ｂを締め付けてアジャスター１７の位置を固定する。
【００２４】
伸縮ロープ１５はメインロープ１３に較べてかなり短く、伸度１１０〜１３０程度の、ゴム糸を編んだロープを用いている。この伸縮ロープ１５は、一端部１５ａが連結リング１９に連結され、他端部はループを為す建物側係止部１５ｂとして加工されている。
【００２５】
従って、転倒防止ロープ１１は、その一端が家具側係止部１３ａであり他端が柱や梁などの建物構造部に係止するための建物側係止部１５ｂであって、その一部が多少の伸縮性を有すると共に、全長をかなり広い範囲で調節できるように構成されている。
【００２６】
メインロープ１３のうち家具側係止部１３ａに比較的近い位置に、スクリーン３の被保持部７ａが保持されている。この保持は、被保持部７ａのうちスクリーン３の幅方向における端より多少内側へ寄った位置で為され、保持方法は、短冊様の紙又は布製の固定紙２１をメインロープ１３を挟んで被保持部７ａに貼り付けることで行っている。
この保持方法としては、メインロープ１３を被保持部７ａに直接接着したり、糸で縫止める方法によっても良い。
【００２７】
スクリーン載置座３１は、スクリーン３の幅とほぼ同じ長さを有する帯板状のベース部３１ａと、このベース部３１ａの幅方向における一端部から立ち上がった背の低い背面壁３１ｂとが一体に形成されたもので、ベース部３１ａの上面の幅は、巻き芯５にきっちり巻き取ったロール状態のスクリーン３の直径とほぼ同じで、背面壁３１ｂの高さは上記直径の半分程度になっている。ベース部３１ａの前側面と背面壁の前面は、いずれも、後ろ倒れに傾斜している。
ベース部３１ａには、ネジ通し孔３１ｃが数箇所形成されると共に、その底面には両面接着テープ３３が剥離紙付きの状態で貼り付けられていて、ネジ通し孔３１ｃを利用してネジ止めするか、両面接着テープ３３を利用して接着するか、いずかの方法で家具の天板に固定できるようになっている。
【００２８】
地震対策用スクリーン装置１は以上のように構成されている。
尚、この地震対策用スクリーン装置１は、スクリーン３を、メインロープ１３に固定された面が外面になる向きで、巻き芯５に巻き取ったロール状態で、それを１乃至数箇所、ビニタイや紐で縛った形で提供される。
【００２９】
〔Ｂ．使用方法と作用〕（図３、図４）
次に、この地震対策用スクリーン装置１の使用方法と作用を、食器棚４１に使用する場合を例にして説明する。
先ず、目的の食器棚４１の天板４３にスクリーン載置座３１を取り付ける。この取付けは、ベース部３１ａが背面壁３１ｂの手前にある向きにして、ネジ又は両面接着テープ３３で行う。スクリーン載置座３１を取り付ける位置は、図面に示すように天板４３の上面の前端部が望ましい。
【００３０】
次に、食器棚４１の前面、例えば、側板の前端部のうち天板４３にできるだけ近い位置に家具側のヒートン５１を左右２本取り付け、また、食器棚４１の背後にある柱や梁等の建物構造物５５に建物側のヒートン５３を左右２本取り付ける。この建物側のヒートン５３の位置は、食器棚４１に取り付けた家具側の２本のヒートン５１とできるだけぴったり対応する位置にする。
【００３１】
そして、地震対策用スクリーン装置１のアジャスター１７のネジキャップ１７ｂを緩めて転倒防止ロープ１１の長さをある程度伸ばしてから、その家具側係止部１３ａを家具側のヒートン５１に係止すると共に、メインロープ１３をスクリーン載置座３１に上から這わせ、そのように這わせたメインロープ１３を下にしてロール状態のままのスクリーンをベース部３１ａに載せる。そして、建物側係止部１５ｂを建物側のヒートン５３に係止し、アジャスター１７を滑らせて転倒防止ロープ１１の長さを調節する。この調節は、図３に示すように、転倒防止ロープ１１に全体としてほぼ弛みが無く、且つ、ロール状態のスクリーン３がスクリーン載置座３１から浮かない最適な長さになるように行う。
最後に、ロール状態のスクリーン３を縛ってあるビニタイや紐を外して、そのロールが解かれ得る状態にする。以上で、地震対策用スクリーン装置１のセットが完了する。
【００３２】
地震対策用スクリーン装置１がこのようにセットされた状態では、ロール状態のスクリーン３は前側へのみ回転でき、且つ、半回転程度回転した途端、スクリーン載置座３１から食器棚４１の前面のほぼ真下辺りへ落下しながら開く。
従って、食器棚４１がある程度揺れる大きさの地震が発生すると、多くの場合、その揺れだけでもロール状態のスクリーン３が前方へ回転して食器棚４１から下へ落下し、それによって、図４に二点鎖線で示すようにスクリーン３が開いて食器棚４１の前面を覆う。
【００３３】
特に、食器棚４１が図４に二点鎖線で示すように背後の壁から多少離れる程度傾いた場合は、転倒防止ロープ１１が同図に二点鎖線で示すように緊張して、ロール状態のスクリーン３をほぼ前方へ向けて押し出すように働くので、スクリーン３が確実に落下して食器棚４１の前面を覆う。この場合、転倒防止ロープ１１の一部は伸縮ロープ１５になっていて、食器棚４１の傾きをある程度許容するので、スクリーン３が落下するのを確実に保証でき、それでいて、伸縮ロープ１５が伸度限界まで伸長したときはそこで食器棚４１の傾きを止めるため、食器棚４１の転倒防止としても働く。
【００３４】
落下しながら開いたスクリーン３は、通常、図４に二点鎖線で示すように、食器棚４１の前面をここからあまり離れない状態で覆うので、食器棚４１から飛び出した食器等は確実にスクリーン３の内側へ落ち、それより前方へ飛んで辺りに散乱することは先ず有り得ない。
【００３５】
〔２．第二の実施の形態〕
図３に二点鎖線で示す地震対策用スクリーン装置１′は、天井から吊るタイプのものである。
この地震対策用スクリーン装置１′におけるスクリーン載置座３１′は、前記したスクリーン載置座３１に吊りブラケット６１を設けたものであって、この吊りブラケット６１は、その上端部６１ａを天井に固定することで、目的の陳列棚の上方に配置する。３１′ａはベース部を、３１′ｂは背面壁をそれぞれ示す。
スクリーン３は、その他端を吊りブラケット６１などに固定し、ロール状態に巻回してベース部３１ａ上に載せる。
従って、地震によって天井が揺れると、スクリーン載置座６１′も振動してスクリーン３を前方へ落とし、それによって、スクリーン３が当該陳列棚の前面を覆う。
【００３６】
以上、本発明の実施の形態を説明したが、本発明の具体的構成が実施の形態に限定されるものでは無く、本発明の要旨から外れない範囲での設計変更等があっても本発明に含まれる。
例えば、実施の形態においては、ロール状態のスクリーンをスクリーン載置座に載せ置くようにしたが、この状態のスクリーンは、家具の天板上に直接載せておくようにしても良い。
【００３７】
また、実施の形態では、目的の家具を建物に固定しない状態で本発明装置を使用する例を示したが、本発明は、家具を建物の柱や梁に固定した状態でも使用できる。その状態では、地震によって当該家具が壁などから離れて傾くことはあまり生じないと思われので、転倒防止ロープがスクリーンを押し出す働きは確実には期待できないが、家具の振動だけでもスクリーンは落下し得るし、仮に、家具を固定しておいた手段が転倒防止に働かなかった場合は、転倒防止ロープが家具の転倒防止とスクリーンの押し出しの両方に働くことになるからである。
【００３８】
【発明の効果】
以上のように、本発明によれば、家具や陳列棚の振動や傾きによって収納物が飛び出しても、それが広く散乱するのを確実に防止することができ、しかも、常に作動する状態にしておいても日常の使用には何ら支障が無く、また、家具等の転倒防止にも役立つ。
【図面の簡単な説明】
【図１】本発明の実施の形態に係る地震対策用スクリーン装置の要部を示す斜視図である。
【図２】本発明の実施の形態に係る地震対策用スクリーン装置のスクリーン載置座をスクリーンと共に示す斜視図である。
【図３】図１及び図２に示す地震対策用スクリーン装置を家具にセットした状態の図である。
【図４】図１及び図２に示す地震対策用スクリーン装置の動作を示す側面図である。
【符号の説明】
１…地震対策用スクリーン装置    ３…スクリーン    ５…巻き芯
１１…転倒防止ロープ    １３ａ…家具側係止部    １５ｂ…建物側係止部
１７…アジャスター    ３１…スクリーン載置座    ３１ａ…ベース部
３１ｂ…背面壁    ４１…家具    ４３…天板    ５５…建物構造部
１′…地震対策用スクリーン装置    ３１′…スクリーン載置座
【図１】
0004651887.tif 000002
【図２】
0004651887.tif 000003
【図３】
0004651887.tif 000004
【図４】
0004651887.tif 000005